(57)【要約】【課題】  複数の表示装置が異なる表示特性を有していても、複数の表示装置間での輝度や色のばらつきの発生を抑制することを目的とする。【解決手段】  本発明の制御装置は、それぞれ入力画像の明るさに関する特徴量に応じて表示輝度の上限値が設定される表示装置１と表示装置２とを制御するための表示制御部１００であって、表示装置１の表示輝度の上限値と特徴量とを関連付けた表示輝度特性Ａと、表示装置２の表示輝度特性Ｂとに基づいて、表示装置１および表示装置２に共通に設定される表示輝度特定Ｃを設定する表示輝度特性設定手段と、入力画像１０の特徴量と入力画像２０の特徴量と表示輝度特性Ｃとに基づいて、表示装置１および表示装置２の共通の表示輝度の上限値が、表示装置１および表示装置２に設定されるように表示装置１および表示装置２を制御する制御部１０８と、を備えることを特徴とする。【選択図】  図１
2018077436.tif 000002
【特許請求の範囲】
【請求項１】
それぞれ入力された画像の明るさに関する特徴量に応じて表示輝度の上限値が設定される第１表示手段と第２表示手段とを制御するための制御装置であって、
前記第１表示手段の表示輝度の第１上限値と画像の明るさに関する特徴量とを関連付けた第１輝度特性情報と、前記第２表示手段の表示輝度の第２上限値と画像の明るさに関する特徴量とを関連付けた第２輝度特性情報とに基づいて、前記第１表示手段と前記第２表示手段とに共通に適用される表示輝度の第３上限値と画像の明るさに関する特徴量とを関連付けた第３輝度特性情報を設定する設定手段と、
前記第１表示手段に入力される第１入力画像の第１特徴量を取得する第１取得手段と、
前記第２表示手段に入力される第２入力画像の第２特徴量を取得する第２取得手段と、
前記第１特徴量と前記第２特徴量と前記第３輝度特性情報とに基づいて、前記第１表示手段および前記第２表示手段に共通の表示輝度の前記第３上限値が設定されるように、前記第１表示手段および前記第２表示手段を制御する制御手段と、
を備えることを特徴とする制御装置。
【請求項２】
前記設定手段は、ある特徴量に対して前記第１輝度特性情報が示す表示輝度の第１上限値と前記第２輝度特性情報が示す表示輝度の第２上限値とのうち、低いほうの表示輝度以下の表示輝度が、当該特徴量に関連付けられた表示輝度の第３上限値となるように、前記第３輝度特性情報を生成することを特徴とする請求項１に記載の制御装置。
【請求項３】
前記第１入力画像と、前記第２入力画像とは、１つの原画像から得られるマルチ表示画像であることを特徴とする請求項１または請求項２に記載の制御装置。
【請求項４】
前記設定手段は、前記第１表示手段と前記第２表示手段とのうち、表示可能な輝度の上限値が低いほうの表示手段の輝度特性情報を、前記第３輝度特性情報とをすることを特徴とする請求項１乃至請求項３のいずれか１項に記載の制御装置。
【請求項５】
前記制御手段は、前記第３輝度特性情報において、前記第１特徴量に対応する前記第３上限値と、前記第２特徴量に対応する前記第３上限値とのうち、低いほうを、前記第１表示手段および前記第２表示手段に設定される共通の表示輝度の前記第３上限値となるように前記第１表示手段および前記第２表示手段を制御することを特徴とする請求項１乃至請求項４のいずれか１項に記載の制御装置。
【請求項６】
前記画像の明るさに関する特徴量は、前記画像の輝度の平均値、最大値、最小値、および中央値のうち少なくとも１つの値であることを特徴とする請求項１乃至請求項５のいずれか１項に記載の制御装置。
【請求項７】
前記第１入力画像と前記第２入力画像とがマルチ表示に対応する画像であるか否かを判定する判定手段をさらに備え、
前記前記第１入力画像と前記第２入力画像とがマルチ表示に対応する画像であると前記判定手段が判定した場合に、前記制御手段は、前記第１表示手段および前記第２表示手段に共通の表示輝度の前記第３上限値が設定されるように、前記第１表示手段および前記第２表示手段を制御することを特徴とする請求項１乃至請求項６のいずれか１項に記載の制御装置。
【請求項８】
ユーザが前記第１表示手段と前記第２表示手段とをマルチ表示ディスプレイとして用いるか否かを指示する入力手段をさらに備え、
ユーザが前記第１表示手段と前記第２表示手段とをマルチ表示ディスプレイとして用いると指示した場合に、
前記設定手段は、前記第３輝度特性情報を設定し、
前記制御手段は、前記第１表示手段および前記第２表示手段に共通の表示輝度の前記第３上限値が設定されるように、前記第１表示手段および前記第２表示手段を制御することを特徴とする請求項１乃至請求項７のいずれか１項に記載の制御装置。
【請求項９】
請求項１乃至請求項８のいずれか１項に記載の制御装置と、
前記第１表示手段と、
を備えることを特徴とする表示装置。
【請求項１０】
前記第２表示手段は、前記表示装置と異なる表示装置である
ことを特徴とする請求項９に記載の表示装置。
【請求項１１】
それぞれ入力された画像の明るさに関する特徴量に応じて表示輝度の上限値が設定される第１表示手段と第２表示手段とを制御するための制御装置の制御方法であって、
前記第１表示手段の表示輝度の第１上限値と画像の明るさに関する特徴量とを関連付けた第１輝度特性情報と、前記第２表示手段の表示輝度の第２上限値と画像の明るさに関する特徴量とを関連付けた第２輝度特性情報とに基づいて、前記第１表示手段と前記第２表示手段とに共通に適用される表示輝度の第３上限値と画像の明るさに関する特徴量とを関連付けた第３輝度特性情報を設定する設定工程と、
前記第１表示手段に入力される第１入力画像の第１特徴量を取得する第１取得工程と、
前記第２表示手段に入力される第２入力画像の第２特徴量を取得する第２取得工程と、
前記第１特徴量と前記第２特徴量と前記第３輝度特性情報とに基づいて、前記第１表示手段および前記第２表示手段に共通の表示輝度の前記第３上限値が設定されるように、前記第１表示手段および前記第２表示手段を制御する制御工程と、
を備えることを特徴とする制御装置の制御方法。
【請求項１２】
前記設定工程は、ある特徴量に対して前記第１輝度特性情報が示す表示輝度の第１上限値と前記第２輝度特性情報が示す表示輝度の第２上限値とのうち、低いほうの表示輝度以下の表示輝度が、当該特徴量に関連付けられた表示輝度の第３上限値となるように、前記第３輝度特性情報を生成することを特徴とする請求項１１に記載の制御装置の制御方法。
【請求項１３】
前記第１入力画像と、前記第２入力画像とは、１つの原画像から得られるマルチ表示画像であることを特徴とする請求項１１または請求項１２に記載の制御装置の制御方法。
【請求項１４】
前記設定工程は、前記第１表示手段と前記第２表示手段とのうち、表示可能な輝度の上限値が低いほうの表示手段の輝度特性情報を、前記第３輝度特性情報とをすることを特徴とする請求項１１乃至請求項１３のいずれか１項に記載の制御装置の制御方法。
【請求項１５】
前記制御工程は、前記第３輝度特性情報において、前記第１特徴量に対応する前記第３上限値と、前記第２特徴量に対応する前記第３上限値とのうち、低いほうを、前記第１表示手段および前記第２表示手段に設定される共通の表示輝度の前記第３上限値となるように前記第１表示手段および前記第２表示手段を制御することを特徴とする請求項１１乃至請求項１４のいずれか１項に記載の制御装置の制御方法。
【請求項１６】
前記画像の明るさに関する特徴量は、前記画像の輝度の平均値、最大値、最小値、および中央値のうち少なくとも１つの値であることを特徴とする請求項１１乃至請求項１５のいずれか１項に記載の制御装置の制御方法。
【請求項１７】
前記第１入力画像と前記第２入力画像とがマルチ表示に対応する画像であるか否かを判定する判定工程をさらに備え、
前記第１入力画像と前記第２入力画像とがマルチ表示に対応する画像であると前記判定手段が判定した場合に、前記制御工程は、前記第１表示手段および前記第２表示手段に共通の表示輝度の前記第３上限値が設定されるように、前記第１表示手段および前記第２表示手段を制御することを特徴とする請求項１１乃至請求項１６のいずれか１項に記載の制御装置の制御方法。
【請求項１８】
ユーザが前記第１表示手段と前記第２表示手段とをマルチ表示ディスプレイとして用いるか否かを指示する入力工程をさらに備え、
ユーザが前記第１表示手段と前記第２表示手段とをマルチ表示ディスプレイとして用いると指示した場合に、
前記設定工程は、前記第３輝度特性情報を設定し、
前記制御工程は、前記第１表示手段および前記第２表示手段に共通の表示輝度の前記第３上限値が設定されるように、前記第１表示手段および前記第２表示手段を制御することを特徴とする請求項１１乃至請求項１７のいずれか１項に記載の制御装置の制御方法。
【発明の詳細な説明】
【技術分野】
【０００１】
本発明は、表示装置の表示輝度の上限値を制御する制御装置、表示装置及びその制御方法に関する。
【背景技術】
【０００２】
表示装置が表示可能な最大の輝度を制御することにより、表示装置から発生する熱量や、消費電力を一定以下に制御する表示装置がある。このような装置では、表示する画像の明るさと、目標とする熱量もしくは消費電力等とに応じて、表示される輝度の範囲が変化することがある。
【０００３】
上述のような表示装置を複数用いてマルチ表示を行う場合、各表示装置が個別に表示可能な輝度の範囲を制御することにより、複数の表示装置間で輝度や色のずれが発生する場合がある。
【０００４】
特許文献１に開示された液晶表示装置では、バックライトの輝度制御値が所定の値よりも低くなるように、入力画像に応じて仮決定されたバックライトの輝度制御値に補正係数を乗算してバックライトの輝度制御値とすることが開示されている。また、上述の液晶表示装置をマルチ表示ディスプレイシステムに用いる場合、複数の液晶表示装置間で、共通の補正係数を用いることが開示されている。
【先行技術文献】
【特許文献】
【０００５】
【特許文献１】特開２０１３―７８６２号公報
【発明の概要】
【発明が解決しようとする課題】
【０００６】
しかしながら、特許文献１のマルチディスプレイシステムでは、表示装置ごとにバックライトの最大の表示輝度が異なる場合、複数の表示装置間で輝度や色のずれが発生してしまう場合があった。つまり、表示装置のバックライトが２０００ｎｉｔの明るさまで点灯可能であり、他の表示装置のバックライトが１５００ｎｉｔの明るさまで点灯可能である場合、同一の係数を用いると、それぞれに表示される明るさが異なる。
【０００７】
そこで、本発明は、複数の表示装置が異なる表示特性を有していても、複数の表示装置間での輝度や色のばらつきの発生を抑制することが可能な制御装置を提供することを目的とする。
【課題を解決するための手段】
【０００８】
上述した課題を解決するために、本発明の一実施形態に係る制御装置は、それぞれ入力された画像の明るさに関する特徴量に応じて表示輝度の上限値が設定される第１表示手段と第２表示手段とを制御するための制御装置であって、前記第１表示手段の表示輝度の第１上限値と画像の明るさに関する特徴量とを関連付けた第１輝度特性情報と、前記第２表示手段の表示輝度の第２上限値と画像の明るさに関する特徴量とを関連付けた第２輝度特性情報とに基づいて、前記第１表示手段と前記第２表示手段とに共通に適用される表示輝度の第３上限値と画像の明るさに関する特徴量とを関連付けた第３輝度特性情報を設定する設定手段と、前記第１表示手段に入力される第１入力画像の第１特徴量を取得する第１取得手段と、前記第２表示手段に入力される第２入力画像の第２特徴量を取得する第２取得手段と、前記第１特徴量と前記第２特徴量と前記第３輝度特性情報とに基づいて、前記第１表示手段および前記第２表示手段に共通の表示輝度の前記第３上限値が設定されるように、前記第１表示手段および前記第２表示手段を制御する制御手段と、を備えることを特徴とする。
【発明の効果】
【０００９】
本発明によれば、複数の表示手段の表示輝度の最大値を共通の値とすることが可能となる。したがって、複数の表示装置が異なる表示特性を有していても、複数の表示装置間での輝度や色のばらつきの発生を抑制することが可能となる。
【図面の簡単な説明】
【００１０】
【図１】マルチ画面表示システムを示す第１の装置構成図である。
【図２】表示装置１の機能ブロック図である。
【図３】入力画像の階調値と、トーンマップ変換処理前後における入力画像の表示輝度の関係とを示す模式図である。
【図４】表示制御部１００が、表示輝度特性を設定する制御を示すフローチャートである。
【図５】表示輝度特性を示す模式図である。
【図６】輝度制御方式を示す模式図である。
【図７】表示装置１および表示装置２が、マルチ表示で画像を表示する場合の各表示制御部１００、２００の処理を示すフローチャートである。
【図８】マルチ表示システムの構成を示す第２の装置構成図である。
【図９】制御装置１０００の機能ブロック図である。
【図１０】表示装置２０００の機能ブロック図である。
【図１１】制御装置１０００が、表示輝度特性Ｃを設定する制御を示すフローチャートである。
【図１２】表示輝度特性を示す模式図である。
【図１３】制御装置１０００が入力画像１０に基づいて、マルチ画像２０、３０を出力するフローを示すフローチャートである。
【図１４】画像変換部２１０４における変換処理前後の表示輝度の関係を示す模式図である。
【発明を実施するための形態】
【００１１】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形が可能であり、それらを本発明の範囲から除外するものではない。即ち、各実施形態及びその変形例を組み合わせた構成も全て本発明に含まれるものである。
【００１２】
（第１の実施例）
実施例１の制御装置は、複数の表示装置を有するマルチ画面表示システムを制御する制御装置であって、複数の表示装置間の表示輝度特性で画像を表示するように設定する。さらに、制御装置は、複数の表示装置でマルチ画面表示を行う場合に、複数の表示装置間で、共通の表示輝度の上限値で画像が表示されるように、複数の表示装置を制御する。
【００１３】
図１は、本発明の第１の実施形態に係るマルチ画面表示システムを示す装置構成図である。表示装置１と表示装置２とは、ネットワーク上からＥｔｈｅｒｎｅｔ等の入力端子を通して、マルチ画面表示用のコンテンツを受信して表示するマルチ画面表示システムを構成する。また、表示装置１と表示装置２との間は、予め通信が確立されており、表示装置間で情報を送受信することが可能である。表示装置１と表示装置２とにはそれぞれ、１つの原画像から生成されたマルチ表示用の入力画像１０と入力画像２０とが入力されるとする。
【００１４】
図２は、表示装置１の機能ブロックを示すブロック図である。表示装置１は、表示部１１０と、表示制御部１００と、を備える。表示制御部１００は、表示部１１０の動作を制御する制御装置である。また、表示制御部１００は、後述するように、表示装置２の表示輝度特性を設定し、さらに、表示装置２の表示輝度の上限値を制御する制御装置である。
【００１５】
表示装置２は、表示制御部２００と、表示部２１０と、を備える。表示制御部１００と、表示制御部２００とは、同等の機能ブロックを有するものであるとする。また、表示部１１０と、表示部２１０とは、同等の機能ブロックを有するものであるとする。以下では、表示装置１の各機能ブロックに対して説明をし、表示装置２については説明を省略する。
【００１６】
表示制御部１００は、通信部１０１、デコーダ１０２、特徴量検出部１０３、画像変換部１０４、ピーク輝度決定部１０５、表示輝度特性決定部１０６、記憶部１０７と、ＣＰＵ１０８、および操作部１０９を備える。各ブロックは制御バスで接続されている。
【００１７】
通信部１０１は、表示装置２の表示制御部２００の通信部２０１と通信し、表示特性情報、ピーク輝度を示す情報、および、入力された画像の特徴量を送受信する通信ユニットである。通信部１０１は、表示装置の輝度に関する情報について通信を行うことが可能である。例えば、通信部１０１は、バックライトの制御に用いるＰＷＭ信号を送受信するものであってもよい。通信部１０１は、通信部２０１と有線で接続するものであってもよいし、無線で接続するものであってもよい。通信部１０１は、取得した情報を、記憶部１０７に出力する。
【００１８】
デコーダ１０２は、入力端子を通して受信した情報をデコードして、入力画像を取得する。例えば、入力画像は、水平方向に１９２０画素、垂直方向に１０８０画素のマトリクス状に配置された各画素に対して、ＹＣｂＣｒの各成分が１２ビットの信号（階調値）で示された画像データであるとする。また、入力画像のＹ成分の階調値の最大値は、２０００ｎｉｔ（１ｎｉｔ＝１ｃｄ／ｍ２）に対応するとする。
【００１９】
また、デコーダ１０２は、受信した情報が、入力画像がマルチ表示用のコンテンツであることを示す付加データが重畳されている場合に、入力画像を取得するとともに、付加データを分離して、記憶部１０７に出力するものであってもよい。例えば、付加データは、入力された情報のヘッダ等の補助データに付加されたマルチ画面表示用コンテンツを示すフラグであるとする。
【００２０】
デコーダ１０２は、入力画像を、特徴量検出部１０３、および画像変換部１０４に出力する。
【００２１】
特徴量検出部１０３は、入力画像の明るさを示す特徴量を取得して、記憶部１０７に出力する。例えば、特徴量検出部１０３は、平均輝度（Ａｖｅｒａｇｅ  Ｐｉｃｔｕｒｅ  Ｌｅｖｅｌ：ＡＰＬ）を検出するとする。なお、特徴量検出部１０３は、入力画像の輝度の平均値、最大値、最小値、および中央値のうち少なくとも１つの値を特徴量として取得するものであってもよい。
【００２２】
画像変換部１０４は、後述するピーク輝度決定部１０５が決定して記憶部１０７に保存したピーク輝度Ｂｐに基づいて、入力画像の階調値を変換するトーンマップ変換処理を行う画像処理回路である。画像変換部１０４は、トーンマップ変換処理を施した入力画像を、出力する。
【００２３】
図３は、入力画像の階調値と、トーンマップ変換処理前後における入力画像の表示輝度の関係とを示す模式図である。図３の横軸は、入力画像の輝度（Ｙ）を示す。また、図３の縦軸は、トーンマップ変換処理前後における入力画像の表示輝度値をｎｉｔで示す。
【００２４】
図３の実線は、ピーク輝度が２０００ｎｉｔである場合の入力画像の階調値と、トーンマップ変換処理前後における入力画像の表示輝度の関係を示す。図３の実線に示すように、ピーク輝度が２０００ｎｉｔである場合、入力画像のＹ成分を示す１２ビットの階調値の全ての範囲が、表示装置で表現される。すなわち、入力画像のＹ成分を示す１２ビットの階調値の全ての範囲が、階調性を有するように変換される。
【００２５】
図３の点線は、ピーク輝度が１５００ｎｉｔである場合の入力画像の階調値と、トーンマップ変換処理前後における入力画像の表示輝度の関係を示す。図３の点線に示すように、ピーク輝度が１５００ｎｉｔである場合、入力画像のＹ成分を示す１２ビットの階調値のうち、１５００ｎｉｔに対応する階調値までの範囲が、表示装置で表現されるように変換される。一方で、１５００ｎｉｔよりも大きい表示輝度に対応する階調値は、１５００ｎｉｔで表示されるように、変換される（クリップされる）。すなわち、入力画像のＹ成分を示す１２ビットの階調値のうち、ピーク輝度に対応する範囲が、階調性を有するように変換される。本実施例において、トーンマップを変更するということは、クリップする輝度の上限値を変更することを示す。
【００２６】
ピーク輝度決定部１０５は、通信部１０１が受信した、表示装置２のピーク輝度値に基づき、表示装置１と表示装置２とのピーク輝度Ｂｐ３を決定する。ピーク輝度決定部１０５は、表示装置１の表示部１１０が表示可能な輝度の最大値（ピーク輝度Ｂｐ１）と、表示装置２の表示部２１０が表示可能な輝度の最大値（ピーク輝度Ｂｐ２）とのうち、小さいほうをピーク輝度Ｂｐ３とする。例えば、表示部１１０のピーク輝度Ｂｐ１が、２０００ｎｉｔであり、表示部２１０のピーク輝度Ｂｐ１が、１５００ｎｉｔであるとする。この場合、ピーク輝度決定部１０５は、表示装置１と表示装置２とのピーク輝度Ｂｐ３を、１５００ｎｉｔに決定し、ピーク輝度Ｂｐ３を記憶部１０７に出力する。
【００２７】
表示輝度特性設定部１０６は、通信部１０１を介して取得した表示部２１０の表示輝度特性と、予め設定されている表示部１１０の表示輝度特性とに基づいて、表示装置１と表示装置２とに共通に設定する表示輝度特性を設定する。表示輝度特性は、表示部１１０に表示する入力画像の特徴量と、表示部が表示可能な輝度の上限値をとの関係を示す特性情報である。表示輝度特性設定部１０６が表示装置１と表示装置２とに共通に設定する表示輝度特性を設定する方法については、後述する。
【００２８】
記憶部１０７は、表示制御部１００が用いるデータやパラメータ等を記憶する記憶媒体である。記憶部１０７は、入力画像、ピーク輝度、表示輝度特性等を記憶する。また、表示制御部１００の各機能ブロックが機能を発揮するために実行するプログラムや、処理に用いるパラメータ等を記憶する。例えば、記憶部１０７は、ハードディスク等の不揮発性の記憶媒体であるとする。記憶部１０７は、揮発性の半導体メモリ等の記憶媒体を含む複数の記憶媒体で構成されていることも可能である。
【００２９】
ＣＰＵ１０８は、前述の各機能ブロックを含む制御部１１０の制御を行う演算処理回路である。例えば、ＣＰＵ１０８は、Ｃｅｎｔｒａｌ  Ｐｒｏｃｅｓｓｉｎｇ  Ｕｎｉｔ（ＣＰＵ）であり、前述の各機能ブロックの処理を記憶部１０７に保存されたプログラムを実行することによって実現するとする。また、ＣＰＵ１０８は、前述の各機能ブロックがそれぞれ個別の電子回路からなる場合、各機能ブロックの動作を制御するものであってもよい。ＣＰＵ１０８は、複数の演算処理回路から構成されていてもよい。
【００３０】
ＣＰＵ１０８は、記憶部１０７に保存されたトーンマップ処理を施された入力画像を、表示部１１０に出力する。さらに、ＣＰＵ１０８は、表示輝度特性情報と、入力画像１０の特徴量と、通信部１０１から取得した入力画像２０の特徴量とに基づいて、マスタ特徴量を決定する。ＣＰＵ１０８は、表示輝度特性情報と、マスタ特徴量とに基づいて、表示輝度の上限値を取得する。ＣＰＵ１０８は、表示輝度の上限値を、ピーク輝度Ｂｐ３で除算した値をゲイン値として決定し、表示部１１０に出力する。
【００３１】
ＣＰＵ１０８は、表示装置１と表示装置２とに共通の表示輝度特性を設定する。さらに、ＣＰＵ１０８は、共通に設定された表示輝度特性と、表示装置１に入力された入力画像１０の特徴量と、表示装置２に入力された入力画像２０の特徴量とに基づいて、共通の表示輝度の上限値を設定する。ＣＰＵ１０８の具体的な処理は、後述する。
【００３２】
また、ＣＰＵ１０８は、表示部１１０のピーク輝度Ｂｐ１、設定した表示輝度特性情報、および入力画像１０の特徴量、を、表示制御部２００に出力するように通信部１０１を制御する。
【００３３】
操作部１０９は、ユーザが表示装置１の動作を指示するために用いる入力手段である。操作部１０９は、表示装置１と表示装置２とがマルチ表示ディスプレイとして用いるマルチ表示モードであるか否かを指示する。また、操作部１０９は、表示装置１に予め設定される表示輝度特性を、複数の特性情報から選択して、設定することも可能である。
【００３４】
表示部１１０は、画像処理部１１１、パネル制御部１１２、液晶パネル１１３、バックライト制御選択部１１４、バックライト制御部１１５、およびバックライト１１６を備える。
【００３５】
画像処理部１１１は、表示制御部１００から出力された画像に対して、色変換処理、解像度変換処理等の高画質化処理を施して表示画像を生成する。画像処理部１１１は、生成した表示画像を、パネル制御部１１２とバックライト制御部１１５とに出力する。また、画像処理部１１１は、バックライト制御部１１５からバックライトの発光輝度を取得して、バックライトの発光輝度に応じた補正処理を実行するものであってもよい。
【００３６】
パネル制御部１１２は、表示画像に基づいて、液晶パネル１１３の各画素の透過率を制御する。
【００３７】
液晶パネル１１３は、画素ごとに赤色、緑色、および青色のカラーフィルターを有する液晶素子からなる副画素を少なくとも１つずつ備える透過型の表示パネルである。パネル制御部１１２が、表示画像に基づいて、各副画素に対応する液晶素子の透過率を制御することにより、バックライト１１６からの光を透過して画像を表示する。
【００３８】
バックライト制御選択部１１４は、表示制御部１００からゲイン値と、ピーク輝度値Ｂｐ３とを取得し、表示輝度の上限値を取得する。また、バックライト制御選択部１１４は、表示装置単体のゲイン値を使用するか、マルチ画面表示システム用のゲイン値を使用するかを再生状況に応じて切り換える。
【００３９】
バックライト制御部１１５は、ピーク輝度値Ｂｐ３と、ゲイン値と、表示画像とに基づく発光輝度で発光するように、バックライト１１６を制御する。バックライト制御部１１５は、バックライト１１６の備える各光源を制御するための制御信号をバックライト１１６に出力する。例えば、制御信号は、ＰＷＭ（Ｐｕｌｓｅ  Ｗｉｄｔｈ  Ｍｏｄｕｌａｔｉｏｎ）信号であるとする。バックライト１１６が個別に発光輝度を制御可能な複数の発光ブロックを備える場合、バックライト制御部１１５は、発光ブロック毎に、発光輝度を決定して、制御信号を出力する。この場合、バックライト制御部１１５は、画像処理部１１１にバックライト１１６の発光輝度を出力する。
【００４０】
バックライト１１６は、液晶パネル１１３に光を照射する照明装置である。バックライト１１６は、複数の光源を備える。バックライト１１６は、バックライト制御部１１５から出力された制御信号を用いて、各光源の発光を制御する。例えば、バックライト１１６は、バックライト制御部１１５から出力されたＰＷＭ信号のデューティ比（オン時間とオフ時間の割合）に従うことで、各光源の調光を制御するとする。バックライト１１６は、液晶パネル１１３の背面に複数のＬＥＤ光源を配置した直下型バックライトであり、画像の領域ごとに個別に発光を制御（ローカルディミング制御）が可能なＬＥＤバックライトであるとする。直下型バックライトでローカルディミング制御をすることにより、コントラストを高めることができる。
【００４１】
図４は、表示制御部１００が、表示装置１と表示装置２とに共通の表示輝度特性を設定する制御を示すフローチャートである。図４のフローチャートは、マルチ画面表示対応コンテンツを再生するための事前の制御を示す図であり、表示装置１の表示制御部１００と、表示装置２の表示制御部２００とのそれぞれの制御フローを並列して示す。
【００４２】
図４のフローチャートにおいて、表示装置１の表示制御部１００が、主として表示装置１と表示装置２とに共通の表示輝度特性を設定する制御を実行するマスタ制御装置として機能する。例えば、表示装置１と表示装置２との間で、予め通信が確立されており、表示装置１がマスタ、表示装置２がスレーブとして動作することが決定しているものとする。なお、マスタとスレーブとの関係は、ユーザが操作部１０９を操作して指示するものであってもよい。
【００４３】
表示装置１と表示装置２とが通信部１０１、２０１を介して接続された場合に、各表示制御部は図４のフローを開始するとする。また、ユーザが操作部１０９を介して、表示装置１と表示装置２とでマルチ表示モードで動作することを指示した場合に、図４のフローを開始するものであってもよい。
【００４４】
Ｓ４０１で、ＣＰＵ１０８は、通信部１０１から、表示制御部２００に対し、表示部２１０に予め設定されたピーク輝度値Ｂｐ２および表示輝度特性を送信することを要求する輝度情報送信要求を送信する送信処理を実行する。処理は、Ｓ４０２に進む。
【００４５】
Ｓ４０２で、ＣＰＵ１０８は、通信部１０１が表示部２１０のピーク輝度値Ｂｐ２および表示輝度特性を受信したか否かを判定する。表示部２１０のピーク輝度値Ｂｐ２および表示輝度特性を受信した場合、処理は、Ｓ４０３へ進む。受信しなかった場合、処理は、Ｓ４０３を繰り返し、受信するまで待つ。
【００４６】
Ｓ４０３で、ピーク輝度決定部１０５は、ピーク輝度Ｂｐ３を決定する処理を実行する。具体的には、ピーク輝度決定部１０５は、記憶部１０７に記憶された表示部１１０のピーク輝度Ｂｐ１と、通信部１０１から取得した表示部２１０のピーク輝度Ｂｐ２とのうち、小さいほうをピーク輝度Ｂｐ３と決定する。処理は、Ｓ４０４に進む。
【００４７】
Ｓ４０４で、表示輝度特性設定部１０６は、表示装置１と表示装置２とに共通に設定する表示輝度特性を設定する処理を実行する。表示輝度特性設定部１０６は、記憶部１０７に記憶された表示部１１０の表示輝度特性と、通信部１０１から取得した表示部２１０の表示輝度特性とを用いて、表示装置１と表示装置２とに共通に設定する表示輝度特性を設定する。以下でＳ４０３、Ｓ４０４の表示輝度特性の設定方法を具体的に説明する。
【００４８】
図５は表示装置１の表示輝度特性と、表示装置２の表示輝度特性と、表示輝度特性設定部１０６が設定した表示装置１と表示装置２とに共通に設定する表示輝度特性とを示す模式図である。図５の（ａ）は、表示装置１の特徴量（ＡＰＬ）と、表示輝度の上限値および消費電力を示す模式図である。図５（ａ）の横軸は、全白画像のＡＰＬを１００％とした場合の画像ＡＰＬの割合を示す。図５（ａ）の縦軸は、単位面積当たりの表示輝度（ｎｉｔ）と、消費電力とを示す。また、図５の実線５１は、表示装置１の特徴量（ＡＰＬ）と、表示輝度の上限値との関係を示す表示輝度特性である。図５の一点鎖線６１は、表示装置１の特徴量（ＡＰＬ）と、実線５１の表示輝度特性で表示部１１０の表示輝度を制御した場合の消費電力との関係を示す。なお、図５の他の図の軸も上記と同様である。
【００４９】
図５（ａ）の表示輝度特性は、ＡＰＬが所定の閾値ｔｈよりも高い場合に、ＡＰＬが上昇するにしたがって、表示可能な輝度の上限値が低下することを示す。図５（ａ）の表示輝度特性は、ＡＰＬが閾値ｔｈ＝３０％から１００％の間で、表示輝度の上限値が２０００ｎｉｔから１０００ｎｉｔに低下することを示す。
【００５０】
一方で、消費電力は閾値ｔｈよりも高いＡＰＬの領域において、上昇しない。これは、表示輝度の上限値が、閾値ｔｈよりも高いＡＰＬの領域において、低くなることによって、表示装置の消費電力が上昇しないように制御されることを示している。閾値ｔｈにおける消費電力が、表示装置１の消費電力の上限値を示している。
【００５１】
ここで、表示部１１０のピーク輝度Ｂｐ１は、２０００ｎｉｔである。また、表示部１１０の表示輝度特性は、閾値ｔｈ１が３０％であり、ＡＰＬ＝１００％において表示輝度の上限値が１０００ｎｉｔまで低減する特性であるとする。
【００５２】
図５（ｂ）は、表示装置２の特徴量（ＡＰＬ）と、表示輝度の上限値および消費電力を示す模式図である。ここで、表示部２１０のピーク輝度Ｂｐ２は、１５００ｎｉｔである。また、表示部２１０の表示輝度特性は、閾値ｔｈ２が７０％であり、ＡＰＬ＝１００％において表示輝度の上限値が１０００ｎｉｔまで低減する特性であるとする。
【００５３】
次に、表示輝度特性設定部１０６が表示装置１と表示装置２とに共通に設定する表示輝度特性を設定するフローを説明する。
【００５４】
Ｓ４０３で、ピーク輝度決定部１０５は、マルチ画面表示システム間において最小値であるピーク輝度を、ピーク輝度Ｂｐ３と決定する。表示部１１０のピーク輝度Ｂｐ１が２０００ｎｉｔであり、表示部２１０のピーク輝度Ｂｐ２が１５００ｎｉｔであることから、ピーク輝度決定部１０５は、ピーク輝度値Ｂｐ３を１５００ｎｉｔに決定する。
【００５５】
Ｓ４０４で、表示輝度特性設定部１０６は、各特徴量に対して、マルチ画面表示システムの表示装置の中で最少の表示輝度の上限値が関連付けられた表示輝度特性を、マルチ画面表示システムの表示輝度特性に設定する。
【００５６】
図５（ｃ）は、特徴量（ＡＰＬ）と、表示装置１と表示装置２とに共通に設定する表示輝度特性を示す模式図である。図中の太線５１は、表示装置１と表示装置２とに共通に設定する表示輝度特性を示す。図中の細線５２は、表示装置１の表示輝度特性を示し、細線５３は、表示装置２の表示輝度特性を示す。
【００５７】
図５（ｃ）に示すように、表示装置１と表示装置２とに共通に設定する表示輝度特性は、各特徴量に対して、各表示装置の表示輝度特性において対応する表示輝度の上限値のうち、小さいほうの輝度を表示輝度の上限値とする表示輝度特性である。ピーク輝度が１５００ｎｉｔ、閾値ｔｈ３が６０％となる。閾値ｔｈ３は、細線５２と、細線５３との交点から求められる。
【００５８】
なお、表示輝度特性設定部１０６は、ある特徴量に対応する表示輝度特性Ａにおける表示輝度と、表示輝度特性Ｂにおける表示輝度とのうち、小さいほうの表示輝度以下の値を、当該特徴量に対応する表示輝度特性Ｃにおける表示輝度とするものであってもよい。
【００５９】
Ｓ４０５で、表示輝度特性設定部１０６は、表示輝度の制御方式を設定する。表示輝度特性設定部１０６は、表示装置１と表示装置２とで共通に適用する表示輝度の制御方式を設定する。
【００６０】
図６は輝度制御方式を示す模式図である。図６（ａ）は、方式Ａを示す。図６（ｂ）は、方式Ｂを示す。図６の横軸は、ユーザの設定輝度を示す。図６の縦軸は、表示装置が表示するための表示輝度を示す。ユーザの設定輝度とは、輝度制御を行わなかった時、表示装置が本来出力すべきユーザが設定した輝度値を示す。
【００６１】
方式Ａは平均輝度（ＡＰＬ）が閾値を超えた時点で全体の輝度を下げるよう制御して、消費電力を抑える方式である。方式Ｂは平均輝度（ＡＰＬ）が閾値を超えた時点で特定の輝度以上をクリップするようにし、消費電力を抑える方式である。例えば、表示制御部１００は、輝度制御方式を方式Ａとするとする。なお、輝度制御の制御方式の決定はユーザの指示に従ってもよいし、マスタである表示装置１の輝度制御方式に従うようにしてもよい。
【００６２】
Ｓ４０６で、ＣＰＵ１０８は、Ｓ４０３で決定したピーク輝度Ｂｐ３と、Ｓ４０４で設定した表示輝度特性、およびＳ４０５で設定した輝度制御方式を、記憶部１０７から取得し、再生輝度情報として表示制御部２００へ送信する。
【００６３】
続いて、スレーブである表示装置２の制御について説明する。
【００６４】
ステップＳ４１１では、表示装置１の通信部１０１から輝度情報送信要求が送信されるのをＣＰＵ２０８が待つ。輝度情報送信要求を受信した場合、処理はＳ４１２へ進む。受信しなかった場合は、Ｓ４１１を繰り返して、輝度情報送信要求が送信されるまで待つ。
【００６５】
Ｓ４１２で、ＣＰＵ２０８が表示部２１０に「現在の設定輝度を使用しますか？」という、ユーザへの判断を促す通知メッセージを表示するように、表示部２１０を制御する処理を実行する。
【００６６】
Ｓ４１３で、ＣＰＵ２０８は、ユーザによって操作部２０９を通して入力されたＳ４１２に対するユーザの操作に基づいて、現在の設定輝度を使用する否かを判定する。現在の設定輝度を使用する場合、処理はＳ４１４へ進む。使用しない場合、処理はＳ４１７へ進む。
【００６７】
Ｓ４１４で、ＣＰＵ２０８は、記憶部２０７に、ユーザ設定ピーク輝度値を、表示部２１０のピーク輝度値Ｂｐ２として格納する。Ｓ４１５で、ＣＰＵ２０８は、記憶部２０７に、表示装置の性能であるピーク輝度値を表示部２１０のピーク輝度値Ｂｐ２として格納する。
【００６８】
Ｓ４１６では、ＣＰＵ２０８が記憶部２０７から読み出したピーク輝度値Ｂｐ２と、表示部２１０の表示輝度特性と、輝度制御方式とを、輝度情報として、通信部２０１から表示制御部１００へ送信する。
【００６９】
Ｓ４１７で、ＣＰＵ２０８は、表示制御部１００から再生輝度情報が、通信部２０１に受信することを待つ。通信部２０１が再生輝度情報を受信した場合、ＣＰＵ２０８は、受信したピーク輝度Ｂｐ３、表示輝度特性、および表示輝度制御方式輝度を記憶部２０７に保存する。これにより、表示輝度がマルチ画面表示システム間で統一され、本フローチャートは終了となる。
【００７０】
なお、ステップＳ４０２、ステップＳ４１１、およびステップＳ４１７のいずれかにおいて、一定時間以上、情報を受信しなかった場合、通信が途絶えたと制御部が判断してフローチャートを終えるようにしてもよい。この場合、マルチ画面表示システム用のピーク輝度や輝度ローディング制御方法が統一されなかったことになる。
【００７１】
次に、表示装置１および表示装置２が、マルチ表示画像を構成する入力画像１０と入力画像２０とをそれぞれ受信し、マルチ表示で画像を表示する場合の各表示制御部１００、２００の処理について説明する。
【００７２】
図７は、表示装置１および表示装置２が、マルチ表示で画像を表示する場合の各表示制御部１００、２００の処理を示すフローチャートである。図７のフローチャートは、表示装置１および表示装置２がマルチ表示画像を構成する入力画像１０と入力画像２０とをそれぞれ受信したことに応じて開始される。なお、ユーザが操作部１０９を介して、マルチ表示モードでの動作を指示したことに応じて、図７のフローを開始するものであってもよい。
【００７３】
初めに、マスタである表示装置１の制御について説明する。Ｓ７０１で、特徴量検出部１０３は入力画像１０のＡＰＬ（マスタＡＰＬ）を検出し、マスタＡＰＬを記憶部２０７に保存する。
【００７４】
Ｓ７０２で、ＣＰＵ１０８は、表示制御部２００から通信部１０１が入力画像２０のＡＰＬ（スレーブＡＰＬ）を受信することを毎フレーム待つ。スレーブＡＰＬを受信した場合、ＣＰＵ１０８は、スレーブＡＰＬを記憶部１０７に保存し、処理は、Ｓ７０３へ進む。スレーブＡＰＬを受信しない場合、処理は、Ｓ７０４へ進む。
【００７５】
Ｓ７０３で、ＣＰＵ１０８は、記憶部１０７から読み出したマスタＡＰＬとスレーブＡＰＬとのうち、最大のＡＰＬをＭａｘＡＰＬとして検出し、記憶部１０７に保存する。
【００７６】
Ｓ７０４で、ＣＰＵ１０８は、マスタＡＰＬが閾値ｔｈ４以上であるか否かを判定する。ここで、閾値ｔｈ４は、表示装置１と表示装置２とに共通に設定された表示輝度特性において、表示輝度の上限値を低減させる閾値ｔｈ３であるとする。例えば、図５（ｃ）に示すように、閾値ｔｈ３（ｔｈ４）は、７０％であるとする。また、閾値ｔｈ４は、閾値ｔｈ３に対して所定のオフセットを減算した値であってもよい。マスタＡＰＬが閾値ｔｈ４以上である場合、処理はＳ７０５へ進む。また、マスタＡＰＬが閾値ｔｈ４より小さい場合、処理は、Ｓ７０１へ戻る。
【００７７】
Ｓ７０５で、ＣＰＵ１０８は、マスタＡＰＬを、ＭａｘＡＰＬとして記憶部１０７に保存する。
【００７８】
ステップＳ７０６で、ＣＰＵ１０８は、表示装置１と表示装置２とに共通に設定された表示輝度特性と、ＭａｘＡＰＬとから、表示装置１と表示装置２との輝度制御を連動するために用いられる輝度制御値を取得する。輝度制御値は、例えばゲイン値であるとする。ゲイン値は、ピーク輝度値Ｂｐ３に対する、表示輝度の上限値の割合を示すパラメータである。
【００７９】
例えば、図５（ｃ）の表示輝度特性が、表示装置１と表示装置２とに共通に設定された表示輝度特性であるとする。ＭａｘＡＰＬの値が６０％以下である場合、対応する表示輝度の上限値は、１５００ｎｉｔである。したがって、ゲイン値は１．０（１５００ｎｉｔ／１５００ｎｉｔ（Ｂｐ３））である。一方、ＭａｘＡＰＬの値が１００％である場合、ゲイン値は０．６６７（１０００ｎｉｔ／１５００ｎｉｔ（Ｂｐ３））である。
【００８０】
ＣＰＵ１０８は、取得したゲイン値を記憶部１０７に保存する。処理は、Ｓ７０７に進む。
【００８１】
Ｓ７０７で、ＣＰＵ１０８は、記憶部１０７から輝度制御値を取得し、通信部１０１から、表示制御部２００へ送信する。
【００８２】
Ｓ７０８で、ＣＰＵ１０８は、バックライト制御選択部１１４に、ピーク輝度値Ｂｐ３と輝度制御値（ゲイン値）とを出力する。
【００８３】
Ｓ７０９で、バックライト制御選択部１１４は、ピーク輝度値Ｂｐ３と輝度制御値（ゲイン値）とに基づいて、算出した表示部１１０の表示輝度の上限値を、バックライト制御部１１５に出力する。これにより、表示部１１０の表示輝度の上限値が制御される。後述するように、Ｓ７０７で送信された輝度制御値を取得した表示制御部２００は、取得した輝度制御値と、予め共通に設定されたピーク輝度値Ｂｐ３とを用いて、バックライト２１６を制御する（Ｓ７１４、Ｓ７１５）。したがって、ＣＰＵ１０８は、表示部１１０と、表示部２１０との表示輝度の上限値に共通の値を決定すると言える。
【００８４】
Ｓ７１０で、ＣＰＵ１０８が、入力画像１０がマルチ表示コンテンツであるか否かを、もしくは、ユーザが操作部１０９を通して、マルチ表示モードを終了する指示を入力したか否かを判定する。入力画像１０がマルチ表示コンテンツでない場合、もしくは、ユーザがマルチ表示モードを終了する指示を入力した場合、ＣＰＵ１０８は、マルチ表示での再生を終了すると判断し、本フローチャートを終了する。また、いずれの場合でもない場合、ＣＰＵ１０８は、マルチ表示を継続すると判断し、処理をＳ７０１に戻す。
【００８５】
続いて、スレーブである表示装置２の制御について説明する。Ｓ７１１で、スレーブである表示装置２の特徴量検出部２０３が、スレーブＡＰＬを検出する。
【００８６】
Ｓ７１２で、ＣＰＵ２０８は、検出したスレーブＡＰＬが、閾値以上であるか否かを判定する。ここで、閾値ｔｈ４は、Ｓ７０２での判定に用いた閾値と同じ閾値ｔｈ４であるとする。検出したスレーブＡＰＬが閾値以上である場合、処理はＳ７１３へ進む。検出したスレーブＡＰＬが、閾値より小さい場合、処理はＳ７１４へ進む。
【００８７】
Ｓ７１３で、ＣＰＵ２０８は、スレーブＡＰＬを通信部２０１から、表示制御部１００へ送信する。
【００８８】
Ｓ７１４で、ＣＰＵ２０８は、表示制御部１００から送信された輝度制御値を通信部２０１が受信したか否かを判定する。通信部２０１が輝度制御値を受信した場合、処理はＳ７１５へ進む。受信できない場合、処理はＳ７１６へ進む。
【００８９】
Ｓ７１５で、ＣＰＵ２０８は、バックライト制御選択部１１４に、表示部１１０と共通のピーク輝度値Ｂｐ３と輝度制御値（ゲイン値）とを出力する。
【００９０】
Ｓ７１６で、ＣＰＵ２０８は、ピーク輝度値Ｂｐ２と、スレーブＡＰＬ、ピーク輝度値Ｂｐ２、および予め表示部２１０に設定された表示輝度特性から求めた輝度制御値（ゲイン値）とを、バックライト制御選択部１１４に、出力する。つまり、表示制御部１００から輝度制御値を取得することができない場合、表示制御部２００は、表示部１１０と表示部２１０との表示輝度の上限値を連動させる制御をしない動作モード（単体輝度制御モード））に切り替える。
【００９１】
Ｓ７１７で、バックライト制御選択部２１４は、取得したピーク輝度値Ｂｐ３（またはＢｐ２）と、輝度制御値（ゲイン値）とに基づいて算出した表示部２１０の表示輝度の上限値を、バックライト制御部２１５に出力する。これにより、表示部２１０の表示輝度の上限値が制御される。
【００９２】
Ｓ７１８は、Ｓ７１０と同じ処理であるため説明を省略する。
【００９３】
上述のように、表示制御部１００の表示特性設定部１０６は、表示部１１０にあらかじめ設定された表示輝度特性と、表示部２１０にあらかじめ設定された表示輝度特性と、から、表示部１１０と表示部２１０とに共通の表示輝度特性を設定する。また、表示制御部１００のＣＰＵ１０８は、入力画像１０の特徴量と、入力画像２０の特徴量と、表示部１１０と表示部２１０とに共通に設定した表示輝度特性とに基づき、表示部１１０と表示部２１０とに共通の表示輝度の上限値を決定する。
【００９４】
したがって、表示部１１０と表示部２１０とが、共通の表示輝度の上限値で、それぞれ画像を表示することが可能となる。これにより、表示装置１と表示装置２とから構成されるマルチ表示システムにおいて、表示装置間の輝度や色のばらつきが発生することが抑制される。
【００９５】
なお、マルチ表示システムを構成する表示装置は、２つに限らない。３つ以上の表示装置からなるマルチ表示システムにおいて、本発明の制御を行うことが可能である。３つ以上の表示装置のうち、１つをマスタ表示装置とし、他の表示装置をスレーブ表示装置として、上述の制御と同様に制御することが可能である。また、３つ以上の表示装置からなるマルチ表示システムにおいて、例えば、隣接する２つの表示装置間でマスタとスレーブとの関係を設定し、直列に上述の制御を実行してもよい。
【００９６】
なお、共通の表示輝度特性の設定方法は、上述の方法に限らない。複数の表示輝度特性のうち、ある特徴量に対して最小の表示輝度の上限値よりも小さい表示輝度を、共通の表示輝度特性における当該特徴量に対応する表示輝度の上限値とすることも可能である。各特徴量に対して、複数の表示装置が表示可能な表示輝度の範囲で、共通の表示輝度特性における当該特徴量に対応する表示輝度の上限値が設定されればよい。
【００９７】
なお、表示制御部１００、２００は、通信部１０１を介して、表示輝度特性や、ピーク輝度の情報をやり取りしたが、ＵＳＢ等の入力部を各表示制御部に設け、情報を取得するものであってもよい。
【００９８】
（第２の実施例）
第２の実施例の制御装置１０００は、表示装置２０００および表示装置３０００と接続し、マルチ表示システムを構成する。制御装置１０００は、表示装置２０００および表示装置３０００に共通の表示輝度特性を設定する。また、制御装置１０００は、マルチ表示に用いるマルチ画像２０、３０を、表示装置２０００および表示装置３０００に出力する。さらに、制御装置１０００は、マルチ画像２０、３０に、表示装置２０００および表示装置３０００が表示輝度の上限値を決定するための共通の代表輝度値を付加して出力する。
【００９９】
図８は、第２の実施例におけるマルチ表示システムの構成を示す装置構成図である。第２の実施例におけるマルチ表示システムは、制御装置１０００、表示装置２０００および表示装置３０００を含む。制御装置１０００は、表示装置２０００および表示装置３０００と接続し、表示装置２０００および表示装置３０００の表示輝度の上限値が共通の値になるように表示装置２０００および表示装置３０００を制御する制御装置である。また、制御装置１０００は、表示装置２０００および表示装置３０００と接続し、表示装置２０００および表示装置３０００が表示する画像を出力する。
【０１００】
表示装置２０００および表示装置３０００は、制御装置１０００から出力されたマルチ画像２０、３０に基づく画像を表示する表示装置である。また、表示装置２０００および表示装置３０００は、表示輝度の上限値を制御することにより、消費電力や熱の発生の増加を抑制することが可能である。表示装置２０００および表示装置３０００は、共通の機能ブロックを備えるとする。詳細な制御は後述する。
【０１０１】
図９は、制御装置１０００の機能ブロックを示す機能ブロック図である。制御装置１０００は、制御部１１０１、メモリ１１０２、入力部１１０３、画像分割部１１０４、特徴量取得部１１０５、情報負荷部１１０６、表示輝度特性設定部１１０７、通信部１１０８、および通信部１１０９を備える。
【０１０２】
制御部１１０１は、制御装置１０００の各機能ブロックの動作を制御する演算処理回路である。例えば、制御部１１０１は、ＣＰＵであるとする。本実施例において、制御装置１０００の各機能ブロックは、それぞれ異なる電子回路で構成されるとする。制御部１１０１は、メモリ１１０２から読み出したプログラムを実行することにより、制御装置１０００の各機能ブロックの動作を制御する。なお、制御部１１０１は、制御装置１０００の機能ブロックの一部の機能を、メモリ１１０２から読み出したプログラムを実行することにより実現するものであってもよい。
【０１０３】
メモリ１１０２は、制御部１１０１が実行するプログラム等、制御装置１０００の各機能ブロックが処理を実行するために用いるデータを記憶する記憶媒体である。例えば、メモリ１１０２は、不揮発性のハードディスクであるとする。なお、メモリ１１０２は、揮発性の半導体メモリを含む、複数の記憶媒体からなるものであってもよい。
【０１０４】
入力部１１０３は、外部から表示装置２０００および表示装置３０００にマルチ表示するための画像のもととなる入力画像１０を取得する入力インターフェースである。例えば、入力部１１０３は、インターネットを経由してクラウドシステムと接続し、入力画像１０を取得するとする。入力部１１０３は、メモリ１１０２から、入力画像１０を取得するものであってもよい。
【０１０５】
入力部１１０３は、さらに、入力画像１０を含むデータを取得した場合に、制御装置１０００が利用可能な形式に、取得したデータを変換する等の処理を行うことも可能である。例えば、入力部１１０３は、取得したデータをデコードし、入力画像１０と、付加情報とを取得するものであってもよい。入力部１１０３は、入力画像１０を、メモリ１１０２に保存する。
【０１０６】
マルチ画像生成部１１０４は、入力画像１０に基づいて、マルチ表示に用いるマルチ画像を生成する。マルチ画像生成部１１０４は、メモリ１１０２から入力画像１０を読み出し、マルチ画像を生成する。マルチ画像生成部１１０４は、予めメモリ１１０２に保存された制御装置１０００に接続された表示装置の数、および配置を示す情報を取得して、マルチ表示が可能なように入力画像１０の一部の領域を切りだしてマルチ画像を生成し、メモリ１１０２に保存する。
【０１０７】
例えば、制御装置１０００に接続した表示装置２０００および表示装置３０００が、水平方向に並べて配置されているとする。この場合、マルチ画像生成部１１０４は、入力画像の左半分を切りだして、表示装置２０００で表示するためのマルチ画像２０を生成する。また、マルチ画像生成部１１０４は、入力画像の右半分を切りだして、表示装置３０００で表示するためのマルチ画像３０を生成する。
【０１０８】
なお、マルチ画像の生成方法は、上記に限らない。表示装置２０００、３がプロジェクタである場合、マルチ画像２０とマルチ画像３０との一部が重なるように、マルチ画像２０、３０を生成することも可能である。マルチ表示システムを構成する表示装置の種類、数、配置等に応じてマルチ画像生成部１１０４は、マルチ画像を生成する。
【０１０９】
特徴量取得部１１０５は、複数のマルチ画像それぞれの明るさを示す特徴量に基づいて、各表示装置が表示輝度の上限値を決定するための代表特徴量（ＣＶ１）を取得する。具体的には、特徴量取得部１１０５は、マルチ画像２０の特徴量（ＣＶ２）と、マルチ画像３０の特徴量（ＣＶ３）と、をそれぞれ取得して、ＣＶ２とＣＶ３とのうち大きいほうをＣＶ１とする。特徴量取得部１１０５は、代表特徴量ＣＶ１を、メモリ１１０２に保存する。特徴量ＣＶは、画像の輝度の平均値（ＡＰＬ）であるとする。なお、特徴量ＣＶは、画像の輝度の最大値、最小値、中央値等の統計量であってもよい。
【０１１０】
情報付加部１１０６は、複数のマルチ画像に代表特徴量ＣＶ１を付加する。情報負荷部１１０６は、マルチ画像２０、３０のメタデータに代表特徴量ＣＶ１を示す情報を付加する。情報負荷部１１０６は、代表特徴量ＣＶ１を付加したマルチ画像２０、３０をメモリ１１０２に保存する。
【０１１１】
表示輝度特性設定部１１０７は、表示装置２０００および表示装置３０００の表示輝度特性を取得し、表示装置２０００および表示装置３０００に共通に設定する表示輝度特性を設定する。表示輝度特性設定部１１０７の具体的な処理は後述する。
【０１１２】
通信部１１０８は、表示装置２０００と接続し、情報の送受信を行う通信インターフェースである。例えば、通信部１１０８は、ＤｅｓｐｌａｙＰｏｒｔ（ＤＰ）規格に準拠した通信インターフェースであり、有線で表示装置２０００と接続するとする。通信部１１０８は、制御部１１０１の制御により、メモリ１１０２に保存されたデータを表示装置２０００に出力するほか、制御部１１０１の制御により、表示装置２０００にデータの送信を要求する信号を出力する。
【０１１３】
通信部１１０９は、表示装置３０００と接続し、情報の送受信を行う通信インターフェースである。例えば、通信部１１０９は、ＤＰ規格に準拠した通信インターフェースであるとする。通信部１１０９の機能は、通信部１１０８と同様であるので説明を省略する。
【０１１４】
図１０は、表示装置２０００の機能ブロック図である。表示装置２０００は、制御回路基板２１００と、表示パネル２２００と、バックライト２３００とを備える。制御回路基板２１００は、表示パネル２２００と、バックライト２３００との動作を制御するための電子回路を備える回路基板である。制御回路基板２１００は、制御部２１０１、メモリ２１０２、通信部２１０３、画像変換部２１０４、輝度決定部２１０５、画像補正部２１０６、表示制御部２１０７、およびバックライト制御部２１０８を備える。なお、表示装置２０００は、非図示の電源回路を備えるとする。電源回路は、外部もしくは内部の電源から電力を取得し、制御回路基板２１００、表示パネル２２００、およびバックライト２３００の駆動に必要な電力を供給する。
【０１１５】
制御部２１０１は、制御回路基板２１００の各機能ブロックの動作を制御する演算処理回路である。例えば、制御部２１０１は、ＣＰＵであるとする。本実施例において、制御回路基板２１００の各機能ブロックは、それぞれ異なる電子回路で構成されるとする。制御部２１０１は、メモリ２１０２から読み出したプログラムを実行することにより、制御回路基板２１００の各機能ブロックの動作を制御する。なお、制御部２１０１は、制御回路基板２１００の機能ブロックの一部の機能を、メモリ２１０２から読み出したプログラムを実行することにより実現するものであってもよい。
【０１１６】
メモリ２１０２は、制御部２１０１が実行するプログラム等、制御回路基板２１００の各機能ブロックが処理を実行するために用いるデータを記憶する記憶媒体である。例えば、メモリ２１０２は、不揮発性のハードディスクであるとする。なお、メモリ２１０２は、揮発性の半導体メモリを含む、複数の記憶媒体からなるものであってもよい。
【０１１７】
メモリ２１０２は、予め設定された複数の表示輝度特性が保存されている。ユーザは、表示装置２０００の非図示の選択手段を用いて、複数の表示輝度特性のうち、１つを表示装置２０００にあらかじめ設定された表示輝度特性Ａとして選択する。メモリ２１０２は、表示輝度特性Ａを保存する。
【０１１８】
通信部２１０３は、制御装置１０００と接続し、情報の送受信を行う通信インターフェースである。例えば、通信部１１０９は、ＤＰ規格に準拠した通信インターフェースであるとする。通信部２１０３は、制御装置１０００から送信されたマルチ画像２０を取得する。通信部２１０３は、制御部２１０１の制御により、メモリ２１０２に保存されたデータを制御装置１０００に出力する。
【０１１９】
表示輝度決定部２１０４は、メモリ２１０２に保存された表示輝度特性と、取得したマルチ画像２０に付加された特徴量に基づいて、表示装置２０００の表示輝度の上限値を決定する。表示輝度決定部２１０４は、決定した表示輝度の上限値をメモリ２１０２に保存する。
【０１２０】
画像変換部２１０４は、表示装置２０００に表示される画像の輝度の範囲が、メモリ２１０２に保存された表示輝度の上限値までの範囲になるように、マルチ画像２０の階調を変換して、変換画像２１０を生成する処理を実行する。画像変換部２１０４は、変換画像２１０をメモリ２１０２に保存する。
【０１２１】
画像補正部２１０６は、変換画像２１０に基づいて、バックライト２３００の各発光ブロックの発光輝度を決定する。輝度決定部２１０５は、メモリ２１０２に、バックライト２３００の各発光ブロックの発光輝度を保存する。
【０１２２】
画像補正部２１０６は、バックライト２３００の各発光ブロックの発光輝度に基づいて、変換画像２１０の階調値を補正して、表示画像２２を生成する。画像補正部２１０６は、表示画像２２をメモリ２１０２に保存する。
【０１２３】
表示制御部２１０７は、メモリ２１０２から表示画像２２を読み出して、表示パネルの各画素の透過率を制御するための駆動信号を生成して、表示パネルに出力する。
【０１２４】
バックライト制御部２１０８は、メモリ２１０２から読み出したバックライト２３００の各発光ブロックの発光輝度に基づいて、各発光ブロックを制御するための制御信号を生成して、バックライト２３００に出力する。
【０１２５】
表示装置３０００は、制御回路基板３１００と、表示パネル３２００と、バックライト３３００とを備える。制御回路基板３１００は、制御部３１０１、メモリ３１０２、通信部３１０３、画像変換部３１０４、輝度決定部３１０５、画像補正部３１０６、表示制御部３１０７、およびバックライト制御部３１０８を備える。表示装置２０００と同名の機能ブロックは、表示装置２０００と同様の機能を発揮するため、説明を省略する。
【０１２６】
制御装置１０００が、表示装置２０００および表示装置３０００に共通に設定する表示輝度特性Ｃを設定する処理について、図１１および図１２を用いて説明する。図１１は、制御装置１０００が、表示装置２０００および表示装置３０００に表示輝度特性Ｃを設定するフローを示すフローチャートである。図１１のフローは、制御装置１０００が表示装置２０００および表示装置３０００と通信を確立した場合、もしくは、ユーザが表示装置２０００および表示装置３０００をマルチ表示モードで使用することを制御装置１０００に指示した場合に開始されるとする。
【０１２７】
Ｓ１１で、制御部１１０１は、通信部１１０８を介して、表示装置２０００から表示輝度特性Ａを取得する。具体的には、制御部１１０１は、通信部１１０８から表示装置２０００へ表示輝度特性Ａを送信するための要求情報を送信するように制御する。制御部２１０１は、要求情報を受信したことに応じて、メモリ２１０２から表示輝度特性Ａを読み出して、通信部２１０３から制御装置１０００へ送信する。制御部１１０１は、取得した表示輝度特性Ａをメモリ１１０２に保存する。
【０１２８】
図１２は、表示輝度特性を示す模式図である。表示輝度特性は、表示する画像の明るさを示す特徴量に対して、表示輝度の上限値を関連付けた特性情報である。図１２（ａ）は、表示輝度特性Ａを示す模式図である。例えば、特徴量ＣＶは、ＡＰＬであるとする。表示輝度特性Ａにおいて、ＡＰＬが２０％以下である場合、対応する表示輝度の上限値は、２０００ｎｉｔである。また、ＡＰＬが２０％より大きい場合、ＡＰＬが増加するに従って対応する表示輝度の上限値が減少し、ＡＰＬ１００％に対応する表示輝度の上限値が１０００ｎｉｔとなる。
【０１２９】
Ｓ１２で、制御部１１０１は、通信部１１０９を介して、表示装置３０００から表示装置３０００にあらかじめ設定された表示輝度特性Ｂを取得する。具体的な制御は、Ｓ１１と同様であるため説明を省略する。制御部１１０１は、取得した表示輝度特性Ｂをメモリ１１０２に保存する。図１２（ｂ）は、表示輝度特性Ｂを示す模式図である。表示輝度特性Ｂにおいて、ＡＰＬが８０％以下である場合、対応する表示輝度の上限値は、１５００ｎｉｔである。また、ＡＰＬが８０％より大きい場合、ＡＰＬが増加するに従って対応する表示輝度の上限値が減少し、ＡＰＬ１００％に対応する表示輝度の上限値が１０００ｎｉｔとなる。
【０１３０】
Ｓ１３で、表示輝度特性設定部１１０７は、メモリ１１０２から読み出した表示輝度特性Ａと、表示輝度特性Ｂとを用いて、表示輝度特性Ｃを生成する。表示輝度特性設定部１１０７は、ある特徴量に対して、表示輝度特性Ａにおいて対応する表示輝度の上限値と、表示輝度特性Ｂにおいて対応する表示輝度の上限値とのうち、小さいほうを表示輝度特性Ｃにおいて当該特徴量に対応する表示輝度の上限値をする。表示輝度特性設定部１１０７は、特徴量の範囲において、上述の処理を行い、表示輝度特性Ｃを生成する。
【０１３１】
図１２（ｃ）は、表示輝度特性Ｃを示す模式図である。表示輝度特性Ｃにおいて、ＡＰＬが６０％以下である場合、対応する表示輝度の上限値は、１５００ｎｉｔである。また、ＡＰＬが６０％より大きい場合、ＡＰＬが増加するに従って対応する表示輝度の上限値が減少し、ＡＰＬ１００％に対応する表示輝度の上限値が１０００ｎｉｔとなる。
【０１３２】
Ｓ１４で、制御部１１０１は、メモリ１１０２から表示輝度特性Ｃを読み出し、通信部１１０８、１１０９を介して、表示装置２０００および表示装置３０００に出力する。また、制御部１１０１は、通信部１１０８、１１０９を介して、表示装置２０００および表示装置３０００に表示輝度特性Ｃを、マルチ表示を行う場合の表示輝度特性に設定する指示を送信する。制御部２１０１、３１１は、取得した表示輝度特性Ｃをメモリ２１０２、３１２にそれぞれ保存し、マルチ表示を行う場合の表示輝度特性に設定する。
【０１３３】
以上で、制御装置１０００が、表示装置２０００および表示装置３０００に共通に設定する表示輝度特性Ｃを設定する処理が終了する。
【０１３４】
次に、入力画像１０を、表示装置２０００および表示装置３０００でマルチ表示する際に、マルチ画像を生成して出力するフローについて、図１３を用いて説明する。図１３は、制御装置１０００が入力画像１０に基づいて、マルチ画像２０、３０を出力するフローを示すフローチャートである。図１３のフローは、制御装置１０００がマルチ表示するための画像を取得した場合、もしくは、ユーザが表示装置２０００および表示装置３０００をマルチ表示モードで使用することを制御装置１０００に指示した場合に開始されるとする。
【０１３５】
Ｓ２１０で、入力部１１０３は、入力画像１０を取得する。入力部１１０３は、入力画像１０をメモリ１１０２に保存する。
【０１３６】
Ｓ２２で、マルチ画像生成部１１０４は、メモリ１１０２から読み出した制御装置１０００に接続する表示装置の配置に関する情報と、メモリ１１０２から読み出した入力画像１０とから、マルチ画像２０、３０を生成する。マルチ画像生成部１１０４は、マルチ画像２０、３０を、メモリ１１０２に保存する。
【０１３７】
Ｓ２３で、特徴量取得部１１０５は、マルチ画像２０の特徴量ＣＶ２を取得する。例えば、特徴量ＣＶ２は、マルチ画像２０のＡＰＬであるとする。特徴量取得部１１０５は、マルチ画像２０の特徴量ＣＶ２をメモリ１１０２に記憶する。
【０１３８】
Ｓ２４で、特徴量取得部１１０５は、マルチ画像３０の特徴量ＣＶ３を取得する。例えば、特徴量ＣＶ３は、マルチ画像３０のＡＰＬであるとする。特徴量取得部１１０５は、マルチ画像３０の特徴量ＣＶ３をメモリ１１０２に記憶する。
【０１３９】
Ｓ２５で、特徴量取得部１１０５は、特徴量ＣＶ２と特徴量ＣＶ３とのうち大きいほうを代表特徴量ＣＶ１として取得する。特徴量取得部１１０５は、代表特徴量ＣＶ１をメモリ１１０２に記憶する。
【０１４０】
Ｓ２６で、情報負荷部１１０６は、マルチ画像２０、３０に代表特徴量ＣＶ１を付加する。
【０１４１】
Ｓ２７で、制御部１１０１は、代表特徴量ＣＶ１を付加したマルチ画像２０、３０をそれぞれ対応する表示装置に出力するように、通信部１１０８、１１０９を制御する。
【０１４２】
以上で、制御装置１０００が入力画像１０に基づいて、マルチ画像２０、３０を出力するフローが終了する。
【０１４３】
マルチ画像２０（３０）を、受信した表示装置２０００（３）の動作について、表示装置２０００の場合について説明する。
【０１４４】
制御部２１０１は、通信部２１０３を介して制御装置１０００から取得したマルチ画像２０をメモリ２１０２に保存する。表示輝度決定部２１０４は、メモリ２１０２からマルチ画像２０を読出し、マルチ画像２０に付加された代表特徴量ＣＶ１を取得する。また、表示輝度決定部２１０４は、メモリ２１０２から、表示輝度特性Ｃを読み出す。表示輝度決定部２１０４は、表示輝度特性Ｃと代表特徴量ＣＶ１とに基づいて、表示輝度の上限値を決定する。表示輝度決定部２１０４は、決定した表示輝度の上限値をメモリ２１０２に保存する。
【０１４５】
なお、表示装置３０００でも同様に、表示輝度の上限値を決定する。表示輝度特性Ｃと代表特徴量ＣＶ１とは、表示装置２０００、および表示装置３０００において共通であることから、表示装置２０００および表示装置３０００において共通の表示輝度の上限値が決定される。
【０１４６】
画像変換部２１０４は、メモリ２１０２から表示輝度の上限値と、マルチ画像２０とを読出し、階調変換処理を実行する。図１４は、画像変換部２１０４における変換処理前後の表示輝度の関係を示す模式図である。マルチ画像２０の各画素に指定された階調値は、輝度と関連付けられているとする。例えば、マルチ画像２０の各画素に指定された階調値は、ＳＴ．２０８４の規格に基づいて、絶対輝度と関連付けられるとする。
【０１４７】
図１４の横軸は、変換処理前のマルチ画像２０の取り得る輝度の範囲を示す。ここで、変換処理前のマルチ画像２０の取り得る輝度の範囲は、２０００ｎｉｔまでの範囲であるとする。図１４の縦軸は、変換処理後のマルチ画像２０、すなわち変換画像２１０の取り得る輝度の範囲を示す。画像変換部２１０４は、決定された表示輝度の上限値までの範囲に、変換画像２１０の輝度の範囲が収まるように、階調変換処理を実行する。例えば、決定された表示輝度の上限値が１５００ｎｉｔであるとする。この場合、図１４に示すように、変換前の画像の輝度は、全体的に暗くなるように変換される（圧縮処理）。
【０１４８】
画像補正部２１０６は、変換画像２１０に基づいて、バックライト２３００の各発光ブロックの発光輝度を決定する。画像補正部２１０６は、決定された各発光ブロックの発光輝度に基づいて、変換画像２１０を補正して表示画像２２を生成する。
【０１４９】
表示制御部２１０７が表示画像２２に基づいて、表示パネル２２００を駆動する。また、バックライト制御部２１０８が決定された各発光ブロックの発光輝度に基づいて、バックライト２３００を制御する。
【０１５０】
本実施例に記載の制御装置１０００は、表示装置２０００と表示装置３０００とに共通の表示輝度の上限値の制御特性を設定し、さらに、表示装置２０００と表示装置３０００とが共通の表示輝度の上限値で表示するように制御情報を送信する。これにより、表示装置２０００は、表示装置３０００と共通の表示輝度の上限値で、マルチ画像２０に基づく画像を表示し、表示装置３０００は、表示装置２０００と共通の表示輝度の上限値で、マルチ画像３０に基づく画像を表示する。したがって、表示装置２０００と表示装置３０００とを用いて入力画像１０をマルチ表示する場合に、入力画像１０で同じ明るさ、もしくは色が関連付けられた領域が、各表示装置で、同じ明るさ、もしくは色で表示されることが可能となる。
【０１５１】
なお、制御装置１０００は、表示装置２０００と表示装置３０００とに表示輝度の上限値を設定するものであってもよい。例えば、制御部１１０１は、表示輝度特性Ｃと、代表特徴量ＣＶとから表示装置２０００と表示装置３０００との表示輝度の上限値を決定し、通信部１１０８、１１０９を介して、表示装置２０００と表示装置３０００とに設定することも可能である。
【０１５２】
また、表示装置２０００と表示装置３０００とが、複数の表示輝度特性を示す情報をそれぞれのメモリに保存している場合、制御装置１０００が、メモリに保存された複数の表示輝度特性のうち、どの表示輝度特性を用いるかを指示するものであってもよい。この場合、表示輝度特性設定部１１０７は、各メモリに保存されている複数の表示輝度特性を示す情報を取得し、表示装置２０００と表示装置３０００とに共通に設定できる表示輝度特性を、表示輝度特性Ｃに設定する。
【０１５３】
（その他の実施例）
本発明は、上述の実施形態の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。なお、コンピュータは、ＣＰＵやＭＰＵ等の演算処理回路であってもよい。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【０１５４】
１  表示装置
１００  表示制御部
１０１  通信部
１０２  デコーダ
１０３  特徴量検出部
１０４  画像変換部
１０５  ピーク輝度決定部
１０６  表示輝度特性決定部
１０７  記憶部
１０８  ＣＰＵ
１０９  操作部
１１０  表示部
２  表示装置
【図１】
2018077436.tif 000003
【図２】
2018077436.tif 000004
【図３】
2018077436.tif 000005
【図４】
2018077436.tif 000006
【図５】
2018077436.tif 000007
【図６】
2018077436.tif 000008
【図７】
2018077436.tif 000009
【図８】
2018077436.tif 000010
【図９】
2018077436.tif 000011
【図１０】
2018077436.tif 000012
【図１１】
2018077436.tif 000013
【図１２】
2018077436.tif 000014
【図１３】
2018077436.tif 000015
【図１４】
2018077436.tif 000016